(57)【要約】【課題】手操作部が変形等するおそれが少なく、本体からの蓋部材の容易な取り外しを確保することができる非常用品保管箱を提供すること。【解決手段】内部に非常用品が収納される本体１１には、この非常用品を出し入れするための正面開口部Ｓ１と上面開口部Ｓ２が形成され、これらの開口部Ｓ１，Ｓ２を遮蔽する蓋部材１２には、手操作部としての手操作部材５３を備えたロック装置５０が設けられ、この手操作部材５３での手操作により、ロック装置５０による本体１１に対する蓋部材１２のロックが解除されるとともに、本体１１からの蓋部材１２の上方への取り外しが可能になっており、手操作部材５３は、ロック装置５０が蓋部材１２の上面部３１に配置されることにより、この上面部３１に設けられている。【選択図】図４
2010189178.tif 000002
【特許請求の範囲】
【請求項１】
内部に非常用品が収納され、この非常用品を出し入れするための開口部が形成された本体と、手操作部が設けられ、この手操作部による手操作で前記本体から取り外し可能になっているとともに、この取り外しにより、遮蔽していた前記開口部を露出させる蓋部材と、を有する非常用品保管箱において、
前記手操作部は前記蓋部材の上面部に設けられ、この手操作部での手操作で上方へ引き上げられた前記蓋部材が前記本体から取り外されることを特徴とする非常用品保管箱。
【請求項２】
請求項１に記載の非常用品保管箱において、前記本体の正面には、前記開口部の少なくとも一部となっている正面開口部が形成され、前記蓋部材は、前記正面開口部を覆うための正面部を有していることを特徴とする非常用品保管箱。
【請求項３】
請求項１に記載の非常用品保管箱において、前記本体の上面には、前記開口部の少なくとも一部となっている上面開口部が形成され、前記蓋部材の前記上面部は、前記上面開口部を覆うための部分となっていることを特徴とする非常用品保管箱。
【請求項４】
請求項１に記載の非常用品保管箱において、前記本体の正面と上面には、前記開口部を形成している正面開口部と上面開口部とが互いに連通した状態で形成され、前記蓋部材は、前記正面開口部を覆うための正面部を有しているとともに、前記蓋部材の前記上面部は、前記上面開口部を覆うための部分となっていることを特徴とする非常用品保管箱。
【請求項５】
請求項１〜４のいずれかに記載の非常用品保管箱において、前記蓋部材には、この蓋部材を前記本体に対してロックするためのロック装置が設けられていることを特徴とする非常用品保管箱。
【請求項６】
請求項５に記載の非常用品保管箱において、前記ロック装置は前記蓋部材の前記上面部に配置されているとともに、このロック装置は、手操作により起倒される部材であって、倒れているときに前記蓋部材を前記本体に対してロックし、起立することにより前記蓋部材を前記本体に対するロックから解除するための手操作部材を有しており、この手操作部材が前記手操作部となっており、起立しているときの前記手操作部材の持ち上げにより、前記蓋部材を前記本体に対して上方へ引き上げ可能となっていることを特徴とする非常用品保管箱。
【請求項７】
請求項５又は６に記載の非常用品保管箱において、前記蓋部材には、少なくとも前記ロック装置を覆うためのロック装置覆い部を有しているシール部材が配置され、前記ロック装置覆い部は前記蓋部材から分離可能となっていることを特徴とする非常用品保管箱。
【請求項８】
請求項７に記載の非常用品保管箱において、前記シール部材は、前記ロック装置覆い部と、このロック装置覆い部と連続していて、前記蓋部材における前記ロック装置が配置されていない部分に固定された固定部と、を有しており、前記ロック装置覆い部と前記固定部との間には、前記ロック装置覆い部を前記固定部に対して折り曲げ可能とする折り曲げ部が設けられていることを特徴とする非常用品保管箱。
【請求項９】
請求項１〜８のいずれかに記載の非常用品保管箱において、前記本体の外面には、この本体が設置される空間の壁に前記本体を固定するための固定手段が設けられていることを特徴とする非常用品保管箱。
【発明の詳細な説明】
【技術分野】
【０００１】
本発明は、地震や火災等の災害発生時に用いる非常用品を保管しておくための保管箱に係り、例えば、エレベータの昇降動するかごの内部空間に設置されるエレベータのための非常用品保管箱等として利用できるものである。
【背景技術】
【０００２】
今日、地震や火災等の災害が発生したときに用いられる非常用品を非常用品保管箱に収納して保管しておくことが行われており、この非常用品保管箱を設置するための場所の一つとして、エレベータの昇降動するかごの内部空間があり、このようなエレベータのための非常用品保管箱は、下記の特許文献１に示されている。
【０００３】
特許文献１に示されている非常用品保管箱は、内部に非常用品が収納され、この非常用品を出し入れするための開口部が形成された本体と、この本体から取り外し可能であって、この取り外しにより、遮蔽していた上記開口部を露出させる蓋部材と、を有している。また、この非常用品保管箱では、上記開口部は本体の正面部に形成されており、このため、蓋部材は本体の正面部に配置され、そして、この蓋部材は、地震による揺れ等によりロックが解除されるロック装置により本体に配置されており、このロック装置のロックを解除して蓋部材を本体から取り外し可能とするために、蓋部材には、手操作部となっている操作用窓が設けられており、この操作用窓での手操作により、蓋部材は上記開口部が形成されている本体の正面部から前方へ取り外し可能になっている。
【先行技術文献】
【特許文献】
【０００４】
【特許文献１】実用新案登録第３１２８８３２号公報（００２１段落、図２、図３）
【発明の概要】
【発明が解決しようとする課題】
【０００５】
上述の非常用品保管箱によると、非常用品を出し入れするための開口部が形成されている箇所は本体の正面部であり、この本体に対して取り外し可能となっていて、上記開口部を遮蔽する蓋部材も本体の正面部に配置されているとともに、この蓋部材に、蓋部材を本体から取り外すために手操作される手操作部が設けられているため、この手操作部は、非常用品保管箱を取り扱う人やその周囲に存在する人たち等によって蹴られるなどして外力を受けやすい箇所に設けられていることになる。このような外力を手操作部が受けた場合には、手操作部に変形等が生じ、この変形等により蓋部材を本体の正面から取り外すことは困難になる。
【０００６】
本発明の目的は、手操作部が変形等するおそれが少なく、本体からの蓋部材の容易な取り外しを確保することができるようになる非常用品保管箱を提供するところにある。
【課題を解決するための手段】
【０００７】
本発明に係る非常用品保管箱は、内部に非常用品が収納され、この非常用品を出し入れするための開口部が形成された本体と、手操作部が設けられ、この手操作部による手操作で前記本体から取り外し可能になっているとともに、この取り外しにより、遮蔽していた前記開口部を露出させる蓋部材と、を有する非常用品保管箱において、前記手操作部は前記蓋部材の上面部に設けられ、この手操作部での手操作で上方へ引き上げられた前記蓋部材が前記本体から取り外されることを特徴とするものである。
【０００８】
本発明では、蓋部材を上方へ引き上げることによりこの蓋部材を本体から取り外すための手操作部は、蓋部材の上面部に設けられており、この上面部は、非常用品保管箱を取り扱う人やその周囲に存在する人たち等によって蹴られるなどして外力を受けやすい箇所とはなっていないため、手操作部が変形等するおそれが少なく、したがって、本体からの蓋部材の容易な取り外しを確保することができるようになる。
【０００９】
本発明において、蓋部材で遮蔽される本体の部分となっている開口部を設ける位置及びその開口部の形態は、任意ある。その第１番目の例は、本体の正面に、開口部の少なくとも一部となっている正面開口部を形成することである。第２番目の例は、本体の上面に、開口部の少なくとも一部となっている上面開口部を形成することである。第３番目の例は、本体の正面と上面に、開口部を形成している正面開口部と上面開口部とを互いに連通した状態で形成することである。
【００１０】
第１番目の例の場合には、蓋部材に本体の正面開口部を覆うための正面部を設けることにより、この正面部で正面開口部を遮蔽することができる。また、第２番目の例の場合には、蓋部材の上述した上面部により本体の上面開口部を遮蔽することができる。第３番目の例の場合には、蓋部材に本体の正面開口部を覆うための正面部を設けることにより、この正面部で正面開口部を遮蔽することができ、また、蓋部材の上述した上面部により上面開口部を遮蔽することができる。
【００１１】
そして、第３番目の例の場合には、本体の開口部は、本体の正面開口部と上面開口部とが互いに連通した状態で形成されることにより、大きなものとなっているため、本体の内部に収納される非常用品の出し入れを、この大きな開口部により一層容易に行えることになる。
【００１２】
また、本発明に係る非常用品保管箱の蓋部材には、この蓋部材を本体に対してロックするためのロック装置を設けてもよい。このようなロック装置が非常用品保管箱に設けられていると、通常時において蓋部材を本体に対してロックしておくことができるとともに、非常用品を本体の内部から取り出さなければならない災害発生時には、ロック装置によるロックを解除することにより、蓋部材を本体から取り外すことができる。
【００１３】
このようなロック装置の構造及び形態等は、任意である。その一例は、このロック装置を蓋部材の前述した上面部に配置するとともに、また、このロック装置を、手操作により起倒される部材であって、倒れているときに蓋部材を本体に対してロックし、起立することにより蓋部材を本体に対するロックから解除するための手操作部材を有するものとし、この手操作部材を前述した手操作部とし、起立しているときの手操作部材の持ち上げにより、蓋部材を本体に対して上方へ引き上げ可能とすることである。
【００１４】
これによると、蓋部材を本体から取り外すためにロック装置によるロックを解除すると、手操作部材は起立しているため、前述の手操作部となっているこの手操作部材を持ち上げることにより、蓋部材を本体に対してそのまま上方へ引き上げることができ、このため、手操作部での手操作により蓋部材を本体から取り外すための作業を容易に行える。
【００１５】
また、本発明において、通常時にロック装置を操作することができないようにするために、蓋部材に、少なくともロック装置を覆うためのロック装置覆い部を有しているシール部材を配置することが好ましい。このようなシール部材を蓋部材に設けても、ロック装置覆い部を蓋部材から分離可能としておくことにより、災害発生時において、ロック装置覆い部を蓋部材から分離することにより、ロック装置によるロックを解除するための操作を行えることになる。
【００１６】
このようなシール部材の形状及び形態等も、任意である。その一例は、このシール部材を、上述のロック装置覆い部と、このロック装置覆い部と連続していて、蓋部材におけるロック装置が配置されていない部分に固定された固定部と、を有するものとし、ロック装置覆い部と固定部との間に、ロック装置覆い部を固定部に対して折り曲げ可能とする折り曲げ部を設けることである。
【００１７】
このシール部材による、シール部材を固定部により蓋部材に固定することができるとともに、災害発生時には、折り曲げ部によりロック装置覆い部を固定部に対して折り曲げることにより、ロック装置覆い部を蓋部材から分離することができて、それまでロック装置覆い部で隠されていたロック装置を外部に露出させることができ、これにより、ロック装置によるロックを解除するための操作を行えることになる。
【００１８】
また、折り曲げ部が折り曲げられると、シール部材にはこの折り曲げの痕跡が残るため、非常用品保管箱を管理する管理者にとっては、シール部材を視認するだけでロック装置が操作された否かを、言い換えると、非常用品保管箱から非常用品が取り出されているか否かを簡単に認識することができ、このため、非常用品保管箱についての管理を容易に行える。
【００１９】
なお、シール部材は上記の例に限定されるものではなく、例えば、シール部材全体を蓋部材から剥がすなどすることにより、この蓋部材からシール部材全体を分離できるようにしてもよい。
【００２０】
さらに、本発明に係る非常用品保管箱の本体の外面には、この本体が設置される空間の壁に本体を固定するための固定手段を設けてもよい。これによると、本体を壁に固定することができるため、非常用品保管箱を所定位置に安定して設置することができる。
【００２１】
このような固定手段の構造及び形態も、任意である、すなわち、上記壁が鋼板等の磁性材料で形成されている場合には、固定手段は磁石によるものでもよく、また、固定手段は、上記壁に本体を接着又は粘着するための接着剤又は粘着剤（両面粘着テープを含む）でもよく、さらに、固定手段は、上記壁に設けられた被係止部材に係止する係止部材等でもよい。
【００２２】
また、本発明に係る非常用品保管箱の全体形状も、任意である。すなわち、本発明に係る非常用品保管箱の全体形状は、平面視で円形でもよく、平面視で三角状でもよく、平面視で四角形状でもよく、平面視で三角及び四角以外の多角形状でもよい。
【００２３】
非常用品保管箱の全体形状を平面視で三角形状、それも直角三角形状にしておくと、非常用品保管箱が設定される空間の直角コーナー部にこの非常用品保管箱を有効に設置することができる。
【００２４】
さらに、本発明に係る非常用品保管箱は、任意の空間に設置することができる。その一例は、エレベータの昇降動するかごの内部空間であり、また、非常用品を備蓄しておくための室内空間や作業部屋等の一般空間にも、本発明に係る非常用品保管箱を設置することができ、さらに、車両や船舶、航空機等の交通手段の内部空間等にも、本発明に係る非常用品保管箱を設置することができる。
【発明の効果】
【００２５】
本発明によると、手操作部が変形等するおそれが少なく、本体からの蓋部材の容易な取り外しを確保できるという効果を得られる。
【図面の簡単な説明】
【００２６】
【図１】図１は、本発明の一実施形態に係る非常用品保管箱がエレベータの昇降動するかごの内部空間に設置されている状態を示す斜視図である。
【図２】図２は、非常用品保管箱の上面部である蓋部材の上面部にシール部材を配置する前を示す斜視図であって、このシール部材と、シール部材で隠されるロック装置との位置関係を示す図である。
【図３】図３は、シール部材の一部を折り曲げることによりロック装置を露出させたときを示す斜視図である。
【図４】図４は、非常用品保管箱を構成する本体と蓋部材の分解状態を示す前側斜視図である。
【図５】図５は、非常用品保管箱を構成する本体と蓋部材の分解状態を示す後側斜視図である。
【図６】図６は、蓋部材が本体にセットされたときのロック装置が配置されている部分を示している蓋部材の上面部の一部拡大平面図である。
【図７】図７は、図４のＳ７−Ｓ７線断面図である。
【図８】図８は、図１のＳ８−Ｓ８線断面図である。
【図９】図９は、図８のＳ９−Ｓ９線断面図である。
【図１０】図１０は、図６のＳ１０−Ｓ１０線断面図である。
【図１１】図１１は、ロック装置がロック解除の操作をされたときを示す図１０と同様の図である。
【図１２】図１２は、シール部材を含めて示した図１０と同様の図である。
【図１３】図１３は、一部が折り曲げられたシール部材を含めて示した図１１と同様の図である。
【発明を実施するための形態】
【００２７】
以下に本発明を実施するための形態を図面に基づいて説明する。本実施形態に係る非常用品保管箱は、エレベータの昇降動するかごの内部空間に設置されるものなっているため、この非常用品保管箱は、エレベータのための非常用品保管箱となっている。
【００２８】
図１は、本実施形態に係る非常用品保管箱１０が、エレベータの昇降動するかご１の内部空間に、かご１の床４に置かれて設置されている状態を示している。図１のＳ８−Ｓ８線断面図である図８に示されているように、非常用品保管箱１０が設置されるかご１の場所は、かご１の互いに隣接する２個の壁２，３がなす、頂角部分がラウンドとなっている直角コーナー部であるため、図１等で示されているように、非常用品保管箱１０の全体形状は、平面視で頂角部分がラウンドとなっている直角二等辺三角形であって、この直角二等辺三角形が上下方向に連続している柱形状になっている。また、図４及図５に示されているように、非常用品保管箱１０の構成部材となっている本体１１と蓋部材１２の全体形状も、平面視で頂角部分がラウンドとなっている直角二等辺三角形となっている。
【００２９】
図１に示すとおり、非常用品保管箱１０の上面部（この上面部は、後述の説明で明らかになるように、蓋部材１２の上面部３１である。以下同じ。）には、シール部材４０が配置されている。このシール部材４０は、図２で分かるように、非常用品保管箱１０の上面部に設けられているロック装置５０を隠すためのものとなっている。また、図３で分かるように、シール部材４０は、ロック装置５０を覆うためのロック装置覆い部４１と、このロック装置覆い部４１と連続していて、非常用品保管箱１０の上面部におけるロック装置５０が配置されていない部分に接着剤や粘着剤（両面粘着テープを含む）等の固定手段で固定された固定部４２と、を有しており、また、ロック装置覆い部４１と固定部４２との間には、ロック装置覆い部４１を固定部４２に対して上側へ折り曲げ可能とする折り曲げ部４３が設けられている。この折り曲げ部４３は、本実施形態では、シール部材４０の厚さの途中まで切り込まれたＶ字溝（図１２を参照）となっている。
【００３０】
本実施形態に係るシール部材４０は、発泡性プラスチック板で形成されており、このため、折り曲げ部４３で容易に折り曲げ可能となっているとともに、折り曲げ後には、上記Ｖ字溝が達していない折り曲げ部４３の厚さ部分において、折り曲げの痕跡が残るようになっており、この痕跡はシール部材４０の上面である表面からも容易に確認することができる。
【００３１】
図４及び図５に示されているように、非常用品保管箱１０の本体１１は、底面部１５と、前述したエレベータのかご１の壁２，３と対面する側面部１６，１７と、上面部１８とを有する。底面部１５は側面部１６，１７の底面全体を覆う大きさになっているが、上面部１８は、側面部１６，１７の上面のうち、ラウンドとなっている前述の頂角部分の近辺部を覆う小さなものとなっている。
【００３２】
また、図４に示されているように、底面部１５の前側の端部は、側面部１６，１７の前端よりも前方へ突出しており、この突出端部に、上方へ立ち上がった被係止部１５Ａが形成されている。さらに、上面部１８には、被嵌合部１９が設けられており、一部が上面部１８の前端から前方へ突出しているこの被嵌合部１９は、本実施形態では、上面部１８に載せられてビス等の止着具２０で止着された板部材２１によって形成されている。
【００３３】
また、図５に示されているように、本体１１の側面部１６，１７の外面には、言い換えると、本体１１の側面部１６，１７の内外面のうち、エレベータのかご１の壁２，３と対面する面には、壁２，３に本体１１を固定するための固定手段２２が取り付けられている。この固定手段２２は、本実施形態では、鋼板等の磁性材料で形成されている壁２，３に磁力で吸着する磁石２３である。この磁石２３は、固定手段２２が配置されている部分の断面図となっている、図４のＳ７−Ｓ７線断面図である図７に示されているように、磁石２３と本体１１の側面部１６，１７とに挿通されたボルト２４と、本体１１の内側でボルト２４に螺合されたナット２５とにより本体１１に取り付けており、また、磁石２３と本体１１との間には弾性部材２６が介入され、この弾性部材２６は、本実施形態ではスプリングワッシャ２７となっている。
【００３４】
また、図４に示されているように、本体１１の底面部１５の下面には、非常用品保管箱１０をエレベータのかご１の床４に置いたときにこの床４に接地するゴムパッド等の接地部材１４が取り付けられている。
【００３５】
そして、本体１１は、前述したように、底面部１５と側面部１６，１７と上面部１８とからなるため、本体１１の正面には、大きく開口した正面開口部Ｓ１が形成されており、また、本体１１の上面には、上面部１８が設けられた部分を除き、上面開口部Ｓ２が形成されており、これらの正面開口部Ｓ１と上面開口部Ｓ２は互いに連通した状態になっている。これらの正面開口部Ｓ１と上面開口部Ｓ２により、本体１１の内部に非常用品を出し入れするために本体１１に設けられた開口部が形成されている。本体１１の内部に収納、保管される非常用品は、例えば、飲料水入りの容器や非常食、懐中電灯、さらには、簡易便器や防寒用シート等である。
【００３６】
非常用品保管箱１０の蓋部材１２は、図４及び図５に示されているように、正面部３０と、この正面部３０の上端から後方へ延出した上面部３１とを有する。正面部３０は、本体１１の正面開口部Ｓ１の全体を覆う大きさを有し、また、上面部３１は、本体１１の上面部１８と上面開口部Ｓ２との全体を覆う大きさを有している。
【００３７】
図５に示されているように、蓋部材１２の正面部３０の内面には、この正面部３０の左右両側の端部において、補強部材３３が取り付けられており、上下方向へ延びる長さとなっているこれらの補強部材３３により、平板状となっている正面部３０の補強が行われ、正面部３０が前後方向等へ変形することが防止されている。また、正面部３０の内面の下部には、前述した本体１１の底面部１５の被係止部１５Ａに上側から係止する係止部材３４が取り付けられている。正面部３０に左右２個設けられているこれらの係止部材３４は、本実施形態では、図８のＳ９−Ｓ９線断面図である図９に示されているように、正面部３０に溶接等で結合されたベース部３４Ａと、このベース部３４Ａの下端から蓋部材１２の内側へ屈曲した屈曲部３４Ｂと、この屈曲部３４Ｂの先端から下方へ延びる係止部３４Ｃとを有する。
【００３８】
このため、蓋部材１２を本体１１に対して上側から降ろしてセットしたときに、本体１１の底面部１５の被係止部１５Ａが、蓋部材１２の正面部３０と、係止部材３４の係止部３４Ｃとの間に侵入するようになっている。また、このときには、図８に示されているように、蓋部材１２の正面部３０の内面に設けられている左右の補強部材３３が、本体１１の側面部１６，１７と蓋部材１２の正面部３０との間のすき間を塞ぐようになっている。
【００３９】
また、図４及び図５に示されているように、蓋部材１２の上面部３１には、本体１１に設けられている前述の被嵌合部１９と対応する位置において、この被嵌合部１９の大きさ、形状と一致している嵌合孔３５が形成されている。このため、蓋部材１２を本体１１に対して上側から降ろしてセットしたときには、嵌合孔３５に被嵌合部１９が嵌合されることになり、このときには、上述したように、本体１１の底面部１５の被係止部１５Ａが、蓋部材１２の正面図３０と、係止部材３４の係止部３４Ｃとの間に侵入し、これにより、蓋部材１２の下端は本体１１に係止されているため、蓋部材１２は、本体１１の上下部において、この本体１１に水平方向に位置決め固定された状態になっている。そして、このときの蓋部材１２は、本体１１に対して引き上げることにより、上方へのみ取り外し可能となっている
また、蓋部材１２が本体１１に水平方向に位置決め固定された状態になっているときには、本体１１の正面開口部Ｓ１は、蓋部材１２の正面部３０で覆われているとともに、本体１１の上面開口部Ｓ２は、蓋部材１２の上面部３１で覆われており、したがって、本体１１の内部に非常用品を出し入れするために形成されている本体１１の上述した開口部は、蓋部材１２によって遮蔽されている。
【００４０】
蓋部材１２の上面部３１には、前述したロック装置５０が配置されている。次に、このロック装置５０について説明する。
【００４１】
図６は、蓋部材１２が本体１１にセットされたときであって、ロック装置５０が配置されている部分についての蓋部材１２の上面部３１の一部拡大平面図を示している。この上面部３１には、嵌合孔３５に近接してこの嵌合孔３５よりも大きい孔３６が形成され、この孔３６に一部が突出して上面部３１の下面に溶接等で結合された左右の支持部材３７に、孔３６に嵌合されたロック装置５０のベースブラケット５１がビス等の止着具３８で止着されている。図１０は、図６のＳ１０−Ｓ１０断面図であり、図１１は、ロック装置が操作されたときを示す図１０と同様の図である。これらの図１０及び図１１から分かるとおり、ベースブラケット５１には、中心軸５２を中心に手操作部材５３が起倒自在に配置されており、図６で示されている長孔状開口部が内側に形成されたリング部５３Ａでの手操作で起倒されるこの手操作部材５３には、図１０に示されているベースブラケット５１の下側の箱部５４の内部に突出する作動部５３Ｂが一体に形成されている。このため、手操作部材５３は、リング部５３Ａと作動部５３Ｂからなり、中心軸５２が挿通した部分が屈曲部となっているＬ字形状となっている。
【００４２】
箱部５４の内部には、スライド部材５５が水平方向にスライド自在に配置され、このスライド部材５５の前端部は、箱部５４の一方の壁部５４Ａに形成された孔５６から突出する爪部５５Ａとなっている。また、スライド部材５５と箱部５４の他方の壁部５４Ｂとの間には、弾性部材であるばね５７が介設され、このばね５７は軸部材５８の外周に巻回されており、この軸部材５８の先端はスライド部材５５に結合され、後端は箱部の壁部５４Ｂに形成された孔５９にスライド自在に挿通されている。ばね５７は、スライド部材５５を常時前方へ弾性付勢する弾性部材となっているため、図１０に示されているように、蓋部材１２の上面部３１に露出して配置されている手操作部材５３のリング部５３Ａが倒れているときには、スライド部材５５の爪部５５Ａは箱部５４から大きく突出しており、このときの爪部５５Ａは、蓋部材１２の上面部３１に、前述した嵌合孔３５と孔３６との間において形成されている被掛け止め部６０の下面に侵入している。
【００４３】
このため、このときには、爪部５５Ａが被掛け止め部６０に掛け止めされたロック状態になっていることにより、蓋部材１２は、本体１１に対する上方への引き上げに対してロック装置５０でロックされており、このロックにより、蓋部材１２を本体１１に対して持ち上げることはできない。
【００４４】
一方、図１１に示されているように、手操作部材５３をリング部５３Ａでの手操作で中心軸５２を中心に起立させたときには、手操作部材５３の作動部５３Ｂの押圧作用により、スライド部材５５はばね５７に抗して後退する。これにより、爪部５５Ａは被掛け止め部６０から離れるため、ロック装置５０による蓋部材１２の本体１１に対するロックは解除されることになり、したがって、起立している手操作部材５３のリング部５３Ａをそのまま持ち上げることにより、蓋部材１２を上方へ引き上げてこの蓋部材１２を本体１１から取り外すことができる。
【００４５】
このため、本実施形態では、手操作部材５３が、蓋部材１２に設けられていて、手操作によりこの蓋部材１２を本体１１から取り外すための手操作部となっている。
【００４６】
そして、前述したように、蓋部材１２を本体１１に対して上側から降ろしてセットし、本体１１の底面部１５の被係止部１５Ａを蓋部材１２の正面部３０と係止部材３４の係止部３４Ｃとの間に侵入させ、本体１１の被嵌合部１９を蓋部材１２の嵌合孔３５に嵌合することにより、蓋部材１２を本体１１に対して水平方向に位置決め固定セットするときには、図１１に示されているように、手操作部材５３のリング部５３Ａを起立させておく。また、上記位置決め固定セットの後には、図１０に示されているように、手操作部材５３のリング部５３Ａを水平位置まで倒すと、スライド部材５５はばね５７で前方へスライドするため、爪部５５Ａが被掛け止め部６０の下面に侵入することにより、蓋部材１２を本体１１に対してロック装置５０でロックさせることができる。
【００４７】
また、蓋部材１２を本体１１に対して上側から降ろしてセットする前には、本体１１の内部に前述した非常用品を収納する作業が行われる。
【００４８】
また、本体１１に対して上側から下ろした蓋部材１２をロック装置５０でロックした後に、図１等で説明したシール部材４０が蓋部材１２の上面部３１に配置される。この配置作業は、シール部材４０の前述したロック装置覆い部４１をロック装置５０の配置位置に合わせ、シール部材４０の固定部４２を、本体１１の上面部１８に設けられていて、蓋部材１２の嵌合孔３５から露出している被嵌合部１９の配置位置に合わせることにより行われ、固定部４２だけを接着剤や粘着剤（両面粘着テープを含む）等の固定手段により、被嵌合部１９と、この被嵌合部１９の周囲の蓋部材１２の上面部３１とに固定する。このときの状態が図１２に示されている。ロック装置５０の上面及び被嵌合部１９の上面は、蓋部材１２の上面部３１の表面と面一（つらいち）になっているため、上記固定手段でシール部材４０を蓋部材１２の上面部３１に配置する作業を所定どおり行える。
【００４９】
なお、図１に示されているように、シール部材４０の表面には、非常用品保管箱１０の内部に非常用品が収納されていることや、ロック装置覆い部４１を固定部４２に対して折り曲げ部４３から上側へ折り曲げ可能になっていることが日本語及び外国語の文章で説明した説明事項６１が表示されている。また、図３に示されているように、ロック装置覆い部４１の裏面には、ロック装置５０の手操作部材５３を前述の中心軸５２を中心に回動起立させ、そして、この手操作部材５３をそのまま少し真上に持ち上げてから、手前へ引きながら持ち上げると、蓋部材１２を本体１１に対して引き上げることができて、蓋部材１２を本体１１から取り外すことができることを説明した説明事項６２が文章や図によって表示されている。
【００５０】
シール部材４０の表面に表示する説明事項６１は、上述のように文章だけによるものでもよく、あるいは、文章と図によるものでもよく、あるいは、図だけによるものでもよい。また、ロック装置覆い部４１の裏面に表示する説明事項６２は、上述のように文章と図によるものでもよく、あるいは、文章だけによるものでもよく、あるいは、図だけによるものでもよい。
【００５１】
上述のようにシール部材４０を蓋部材１２の上面部３１に配置した後に、非常用品保管箱１０はエレベータのかご１の内部空間に運び込まれ、所定位置に設置される。この設置により、本体１１の側面部１６，１７の外面に取り付けられている磁石２３がかご１の壁２，３で吸着するため、磁石２３による固定手段２２により、非常用品保管箱１０を上記所定位置に安定的にかつ取り外し困難に設置することができる。
【００５２】
また、壁２，３や本体１１の側面部１６、１７に多少の凹凸があっても、固定手段２２と側面部１６，１７との間には、スプリングワッシャ２７による弾性部材２６が介設されているため、この弾性部材２６の弾性変形に基づく上記凹凸の吸収作用により、非常用品保管箱１０を壁２，３に有効に固定して上記所定位置に設置することができる。
【００５３】
なお、弾性部材２６の弾性変形に基づく上記凹凸の吸収作用により、非常用品保管箱１０を固定手段２２で壁２，３に固定して上記所定位置に設置する作業は、本体１１の内部に非常用品を収納する前に行ってもよい。
【００５４】
すなわち、このような作業順序でそれぞれの作業を行う場合には、内部に非常用品が収納されておらず、蓋部材１２がセットされていないときの本体１１をエレベータのかご１の内部空間に運び込んで、この本体１１をかご１の床４に置き、この後に、図７で示されているナット２５を工具で回転操作することにより、磁石２３による固定手段２２を本体１１に対して移動させ、これにより、弾性部材２６の弾性変形に基づき上記凹凸を吸収しながら、非常用品保管箱１０を固定手段２２で壁２，３に固定して上記所定位置に設置する。次いで、本体１１の内部に非常用品を収納する作業や、蓋部材１２を本体１１に対して上側から下ろす作業、蓋部材１２をロック装置５０で本体１１にロックする作業、さらには、シール部材４０を蓋部材１２の上面部３１に配置し、このシール部材４０でロック装置５０を隠す作業が行われる。
【００５５】
地震や火災等の災害が発生し、エレベータの昇降動していたかご１が停止するなど、このかご１に乗っていた人がかご１から脱出できない事態が生じたときには、この人は、シール部材４０の表面に表示されている説明事項６１にしたがい、シール部材４０のロック装置覆い部４１を固定部４２に対して折り曲げ部４３から上側へ折り曲げ、そして、ロック装置覆い部４１の裏面に表示されている説明事項６２にしたがい、ロック装置５０の手操作部材５３を中心軸５２を中心に回動起立させ、そして、この手操作部材５３をそのまま少し真上に持ち上げてから、手前へ引きながら持ち上げることになる。手操作部材５３を中心軸５２を中心に回動起立させたときの状態が、図１３に示されている。
【００５６】
上記説明事項６２のとおりに、手操作部材５３を中心軸５２を中心に回動起立させ、そして、この手操作部材５３をそのまま少し真上に持ち上げてから、手前へ引きながら持ち上げると、蓋部材１２は本体１１から上方へ引き上げられることになり、また、このときには、蓋部材１２の正面部３０と係止部材３４の係止部３４Ｃとは、本体１１の底面部１５の被係止部１５Ａから脱出しているとともに、蓋部材１２の嵌合孔３５は、本体１１の被嵌合部１９から抜け出ていることになり、このため、蓋部材１２を本体１１から取り外すことができる。
【００５７】
なお、シール部材４０の説明事項６１，６２を蛍光材料で表示することにより、災害発生後にエレベータのかご１が停電となって照明が消えても、発光する説明事項６１，６２により、上記人は説明事項６１，６２を明瞭に認識することができる。
【００５８】
また、本実施形態では、説明事項６１，６２が表示されているシール部材４０は、蓋部材１２の上面部３１に配置されており、この配置位置は、エレベータのかご１に乗っていた人にとっては、丁度見下ろす高さ位置となっているため、この人は、災害発生時に直ちにシール部材４０に表示されている説明事項６１に気づくことになる。
【００５９】
また、上述したように蓋部材１２が手操作部材５３での手操作で上方へ引き上げられて蓋部材１２を本体１１から取り外すと、本体１１に形成され、それまで蓋部材１２で遮蔽されていた正面開口部Ｓ１と上面開口部Ｓ２とが露出するため、上記人は、これらの正面開口部Ｓ１と上面開口部Ｓ２から、本体１１の内部に収納、保管されていた非常用品を取り出すことができる。
【００６０】
以上説明した本実施形態によると、蓋部材１２に配置されているロック装置５０の手操作部材５３は、蓋部材１２を上方へ引き上げてこの蓋部材１２を本体１１から取り外すときに手操作される手操作部となっているとともに、この手操作部は、蓋部材１２の正面部３０ではなく、上面部３１に設けられており、この上面部３１は、非常用品保管箱１０を取り扱う人やその周囲に存在する人たち等によって蹴られるなどして外力を受けやすい箇所とはなっていないため、手操作部が変形等するおそれが少なく、したがって、本体１１からの蓋部材１２の容易な取り外しを確保することができるようになる。
【００６１】
また、通常時のロック装置５０はシール部材４０で覆われて隠されているため、通常時にロック装置５０が操作されることを防止することができる。
【００６２】
また、蓋部材１２の上面部３１に固定部４２で固定されるシール部材４０には、ロック装置５０を覆うためのロック装置覆い部４１が設けられ、このロック装置覆い部４１は蓋部材１２の上面部３１から分離可能となっているため、災害発生時において、ロック装置覆い部４１を蓋部材１２の上面部３１から分離することにより、それまでロック装置覆い部４１で隠されていたロック装置５０を外部に露出させることができ、このロック装置５０を操作することにより、本体１１に対する蓋部材１２のロックを解除することができる。
【００６３】
さらに、通常時に蓋部材１２を本体１１に対して上方へ持ち上げようとしても、ロック装置５０によりこれを阻止できるとともに、災害発生時に、ロック装置５０の手操作部材５３についての引き上げ操作（起立操作）を行うと、この引き上げ操作により、ロック装置５０による本体１１に対する蓋部材１２のロックを解除することと、蓋部材１２を持ち上げてこの蓋部材１２を本体１１から上方へ取り外すこととを、一連の連続操作として行えることになり、このため、これら操作を手操作部材５３によるワンタッチ操作として簡単かつ迅速に行える。
【００６４】
また、本実施形態によると、蓋部材１２を上方へ引き上げて本体１１から取り外すと、それまで蓋部材１２で遮蔽されていて、非常用品を取り出すために本体１１に形成されていた開口部が露出するとともに、この開口部は、互いに連通している正面開口部Ｓ１と上面開口部Ｓ２とによって形成されており、したがって、この開口部の開口面積は大きくなっているため、本体１１の内部からの非常用品の取り出しを容易に行える。
【００６５】
また、正面開口部Ｓ１と上面開口部Ｓ２との大きな開口面積により、本体１１の内部に非常用品を収納する作業も容易に行え、さらに本体１１の内部に収納する非常用品の大きさを大きくすることもでき、その個数も多くすることができる。
【００６６】
さらに、本実施形態によると、シール部材４０は、ロック装置５０を覆うためのロック装置覆い部４１と、蓋部材１２の上面部３１に固定される固定部４２と、ロック装置覆い部４１と固定部４２との間に設けられ、ロック装置覆い部４１を固定部４２に対して折り曲げ可能とする折り曲げ部４３とを有するものになっており、折り曲げ部４３が折り曲げられると、シール部材４０にはこの折り曲げの痕跡が残ることになる。このため、非常用品保管箱１０を管理する管理者にとっては、シール部材４０を視認するだけでロック装置５０が操作された否かを、言い換えると、非常用品保管箱１０の内部から非常用品が取り出されているか否かを簡単に認識することができ、したがって、非常用品保管箱１０についての管理を容易に行える。
【産業上の利用可能性】
【００６７】
本発明は、例えば、エレベータの昇降動するかごの内部空間において、地震や火災等の災害発生時に用いる非常用品を保管しておくために利用することができる。
【符号の説明】
【００６８】
１  エレベータのかご
２，３  壁
１０  非常用品保管箱
１１  本体
１２  蓋部材
３１  蓋部材の上面部
４０  シール部材
４１  ロック装置覆い部
４２  固定部
４３  折り曲げ部
５０  ロック装置
５３  手操作部になっていて、ロック装置に設けられている手操作部材
Ｓ１  正面開口部
Ｓ２  上面開口部
【図１】
2010189178.tif 000003
【図２】
2010189178.tif 000004
【図３】
2010189178.tif 000005
【図４】
2010189178.tif 000006
【図５】
2010189178.tif 000007
【図６】
2010189178.tif 000008
【図７】
2010189178.tif 000009
【図８】
2010189178.tif 000010
【図９】
2010189178.tif 000011
【図１０】
2010189178.tif 000012
【図１１】
2010189178.tif 000013
【図１２】
2010189178.tif 000014
【図１３】
2010189178.tif 000015